(57)【要約】【課題】犬や猫（以下ペット）の肥満防止やストレスの解消のため、飼い主はペットの散歩が必須となる。しかしペットは外に出ると走り廻る、逆に固まってしまうなどが多い。この厄介な散歩を、ペット小屋を自転車に繋ぐことで、いつものペット小屋の環境を外に持ち出し、落ち着かせ散歩する。歩き疲れたペットは、小屋ごと地面から自転車の前籠にリフトして載せ、飼い主と自転車に乗って帰宅する。【解決手段】直方体の箱の前面を出入口１３として開口し、底面にキャスター１４を付け、これを散歩用ペット小屋１２として自転車前輪５の前の地面に置く。この散歩用ペット小屋１２左右両面と前輪ハブ６左右に回転軸受１８を設置する。次に前輪ハブ６から自転車前籠８へ届く長さの小屋リフト１１左右を、前記の両回転軸間に繋ぐ。この小屋リフト１１の上下運動で、散歩用ペット小屋１２を地面置きから前籠８置きに切り替える。（請求項２）【選択図】図２
2017079710.tif 000002
【特許請求の範囲】
【請求項１】
自転車前輪の前に置く散歩用ペット小屋において、
散歩用ペット小屋１２は略直方体の箱にして、一側面を出入口１３として開口し、底面にキャスター１４を取り付け、これを自転車前輪５の前の地面に置くと共に、
散歩用ペット小屋１２の左右両側面に固定して、ここより伸ばす小屋リフト１１左右２本を、自転車の前輪ハブ６の左右両端に繋ぐ、
以上のように、前輪５の前に置くことを特徴とする散歩用ペット小屋１２
【請求項２】
請求項１の散歩用ペット小屋の、地面置きから前籠置きへの上段移動において、
散歩用ペット小屋１２の左右両面に回転軸受１８を設け、且つ前輪ハブ６の左右両端にも回転軸受１８を設けると共に、
散歩用ペット小屋１２と前輪ハブ６を繋ぐ小屋リフト１１の長さを、前輪ハブ６から自転車前籠８の底面への長さと等しくし、
この長さの小屋リフト１１左右をもって、散歩用ペット小屋１２の回転軸受１８左右と前輪ハブ６の回転軸受１８左右を繋ぐ、
以上のように、地面置きから前籠５置きに上段移動すること特徴とする請求項１の散歩用ペット小屋１２
【請求項３】
自転車後輪の後ろに置く散歩用ペット小屋の、地面置きから荷台置きへの上段移動において、
散歩用ペット小屋１２は略直方体の箱にして、一側面を出入口１３として開口し、底面にキャスター１４を取り付け、これを自転車後輪２５の後ろの地面に置くと共に、
散歩用ペット小屋１２の左右両面に回転軸受１８を設け、且つ後輪ハブ２４の左右外側にも回転軸受１８を設け、
散歩用ペット小屋１２と後輪ハブ２４を繋ぐ小屋リフト１１の長さを、後輪ハブ２４から自転車の荷台２２への長さと等しくし、
この長さの小屋リフト１１左右をもって、散歩用ペット小屋１２の回転軸受１８左右と後輪ハブ２４の回転軸受１８左右を繋ぐ、
以上のように、地面置きから荷台２２置きに上段移動することを特徴とする自転車後輪２５に置く散歩用ペット小屋１２
【請求項４】
自転車前輪の横に置く散歩用ペット小屋において、
散歩用ペット小屋１２は略直方体の箱にして、一側面を出入口１３として開口し、底面にキャスター１４を取り付け、且つ側面にパイプに懸架するパイプバンド２９を取り付け、これを自転車前輪５の横の地面に置くと共に、
前輪５を楕円に周回して前輪ハブ６左右に固定する前輪周回リング３９に、前記パイプバンド２９をグリップにして、散歩用ペット小屋１２を取り付ける、
以上のように、前輪５の横に置くことを特徴とする散歩用ペット小屋１２
【請求項５】
請求項４の散歩用ペット小屋の、地面置きから前籠置きへの上段移動において、
前輪ハブ６から枝出しするＪ形ジョイント２７とランプブラケット７を結んで、小屋昇降パイプ２８を設置し、
前記小屋昇降パイプ２８に、前記パイプバンド２９をグリップにして、散歩用ペット小屋１２を取り付ける、
以上のように、地面置きから前籠８置きに上段移動することを特徴とする請求項４の散歩用ペット小屋１２
【請求項６】
請求項１から請求項５の散歩用ペット小屋に付設するペット昇降用スロープにおいて、
散歩用ペット小屋１２はその中に折り畳んで、伸ばすと一枚盤になる折り畳みスロープ３０を内蔵しており、
散歩用ペット小屋１２を前籠８または荷台２２に置いたとき前記折り畳みスロープ３０を取出し地面に垂下して、または散歩用ペット小屋１２を地面に置いたとき前記折り畳みスロープ３０を取出し前籠８または荷台２２向けて立掛けて、これらをもってペットの昇降用スロープとして付設することを特徴とする散歩用ペット小屋１２
【請求項７】
請求項１から請求項５の自転車の前籠や荷台に付設するペット昇降用スロープおいて、
前記自転車は前籠８や荷台２２に折り畳んで、伸ばすと一枚盤になる折り畳みスロープ３０を積載しており、
前記折り畳みスロープ３０を前籠８や荷台２２より取出し地面に置いた散歩用ペット小屋１２に垂下し、これをペットの昇降用スロープとして付設することを特徴とする散歩用ペット小屋１２
【請求項８】
請求項１から請求項５の散歩用ペット小屋に付設するペット昇降用トンネルにおいて、
散歩用ペット小屋１２はその中に折り畳んで、伸縮自在の蛇腹トンネル４１を内蔵しており、
地上に置いた散歩用ペット小屋１２より前記蛇腹トンネル４１を取出し、上段の前籠８や荷台２２に掛け留めて、これをペットの昇降用トンネルとして付設することを特徴とする散歩用ペット小屋１２
【請求項９】
請求項１から請求項５の散歩用ペット小屋の底板おいて、
前記散歩用ペット小屋１２の底板３８は着脱を可能としており、
請求項１から請求項５の散歩用ペット小屋を地面に置いたとき、散歩用ペット小屋１２の底板３８を外して、散歩用ペット小屋１２の中のペットを地面に接地させることを特徴とする散歩用ペット小屋１２
【請求項１０】
請求項１から請求項５の散歩用ペット小屋に付設するリードにおいて、
前記リード１６はゴムチューブ３４を芯に埋め込んで、ゴムチューブ３４の一方の端をゴムポンプ３３に結び、他方の端をペットの背に付けたノズル３５に結び、
ゴムポンプ３３作動により、前記ノズル３５に仕込んだ吹き流し３６でペットを覆い、ペットの動きを制御することを特徴とする散歩用ペット小屋１２に付設するリード１６
【発明の詳細な説明】
【技術分野】
【０００１】  本発明は小型犬や猫などの小型ペット（以下、ペット）の散歩を、自転車でするための技術に関する。１つは外に出ると落ち着かないペットの散歩を、ペットが馴れた小屋を自転車で引いてする技術に関する。２つはペットが歩かなくなったとき、小屋を上段の前籠や荷台にリフトし、ペットを小屋ごと自転車に載せる技術に関する。３つはペットが歩道と前籠や荷台に自在に行き来する、ペットでも特に猫の習性を重視する技術に関する。その他にも周辺の２つの技術に関する。
【背景技術】
【０００２】  ペットと自転車で散歩する技術については、（イ）自転車に繋いだバギーで引く、（ロ）自転車の前籠や後ろの荷台に入れて走る、（ハ）自転車補助輪に付けた小屋に入れて引く、などが見られる。（イ）と（ロ）は既に商品化され流通している。（ハ）は次項に文献を示す。
【先行技術文献】
【０００３】
【特許文献１】特願２０１４−２５４５１７  自転車補助輪（請求項９）
【発明の概要】
【発明が解決しようとする課題】
【０００４】  ペットの散歩は、ペットのストレス解消と肥満防止のため重要である。しかし次のような課題が散見される。
Ａ）ペットが自在に走り回り、制御できない。
Ｂ）他のペットや他人に飛びかかりそうで、危険だ。
Ｃ）他のペットから襲われそうになる。
Ｄ）歩行を嫌がり、立ち止まり固まってしまう。
Ｅ）遠くまで散歩にいった復路は、ペットが疲れて、歩かなくなってしまう。
Ｆ）川べりなど遠くの場所に行きたいが、そこまではペットを自転車に載せて行きたい。
Ｇ）ペット散歩の必須用具（リード、糞の始末袋、餌など）を、スマートに携帯したい。
【課題を解決するための手段】
【０００５】  これらの課題を解決するため、自転車で作る様々な散歩用ペット小屋に関する８つの手段を、請求項ごとに要約で述べる。【０００６】請求項１では散歩用ペット小屋を自転車前輪の前の地面に置く手段をとる。そのため散歩用ペット小屋は略直方体の箱で作り、前面を出入口として開口し、底面にキャスターを取り付け、これを自転車前輪の前の地面に置く。次に散歩用ペット小屋の左右両側面に固定してここより伸ばす小屋リフト左右２本を、自転車の前輪ハブの左右両端に繋いで、散歩用ペット小屋を自転車前輪の前の地面に置く。【０００７】  請求項２では請求項１の散歩用ペット小屋を、自転車前輪の前の地面から前籠へ上段移動する手段をとる。そのため散歩用ペット小屋の左右両面に回転軸受を設け、且つ前輪ハブの左右両端にも回転軸受を設ける。次に散歩用ペット小屋と前輪ハブを繋ぐ小屋リフトの長さを、自転車前籠の底面に届く長さとし、この長さの小屋リフト左右をもって、散歩用ペット小屋の回転軸受左右と前輪ハブの回転軸受左右とを繋いで、地面から前籠へ上段移動する。【０００８】  請求項３では散歩用ペット小屋を自転車後輪の後ろに置き、且つ地面から荷台へ移動設置する手段をとる。そのため散歩用ペット小屋の左右両面に回転軸受を設け、後輪ハブの左右外側にも回転軸受を設ける。次に散歩用ペット小屋と前記後輪ハブを繋ぐ小屋リフトの長さを、自転車の荷台に届く長さとし、この長さの小屋リフト左右をもって、散歩用ペット小屋の回転軸受左右と後輪ハブの回転軸受左右とを繋いで、散歩用ペット小屋を自転車後輪の後ろに置くと共に、地面から荷台への移動設置を可能とする。【０００９】  請求項４では散歩用ペット小屋を自転車前輪の横に置く手段をとる。そのため散歩用ペット小屋の側面にパイプバンドを取り付け、これを自転車前輪の横の地面に置く。次に前輪を楕円に周回して前輪ハブ左右に固定する前輪周回リングに、前記パイプバンドを介して、散歩用ペット小屋を取り付けて、散歩用ペット小屋を自転車前輪の横に置く。【００１０】  請求項５では、請求項４の散歩用ペット小屋を地面から前籠へと上段移動する手段をとる。そのため前輪ハブから枝出しするＪ形ジョイントとランプブラケットを結んで小屋昇降パイプを設置し、この小屋昇降パイプにパイプバンドを介して、請求項４の散歩用ペット小屋を取り付けて、地面から前籠へと上段移動する。【００１１】  請求項６では、請求項１から５の前籠や荷台に置いた散歩用ペット小屋１２から内蔵したスロープを地面に垂らす、または地面に置いた散歩用ペット小屋１２から内蔵したスロープを前籠や荷台に立掛けると、ペットを地面と前籠や荷台の間に昇り降りさせる手段となる。そのため散歩用ペット小屋においては、その内部に折り畳んで伸びる折り畳みスロープを格納して、ペットを地面と前籠や荷台の間に昇り降りさせる。【００１２】  請求項７では、請求項１から５の自転車の前籠や荷台に設置したスロープを、地面に置いた散歩用ペット小屋に向けて垂らし、ペットの昇降用スロープとする手段をとる。そのため請求項１から請求項５の自転車の前籠や荷台に折り畳んで、伸びて一枚盤になる折り畳みスロープを積載して、ここより地面に置いた散歩用ペット小屋に向���て垂らし、ペットの昇降用スロープとする。【００１３】  請求項８では、請求項１から５で地面に置いた散歩用ペット小屋から蛇腹トンネルを取出し、これを上段の前籠や荷台に渡して、ペットがトンネル内で地面と前籠や荷台に行き来する手段をとる。そのため散歩用ペット小屋に、地面に伸びる蛇腹トンネルを積載する。【００１４】  請求項９では散歩用ペット小屋の中のペットを直接地面に触れさせる手段をとる。そのため散歩用ペット小屋の底板を着脱可能としており、地面に置いた散歩用ペット小屋の底板を取り外して、散歩用ペット小屋の中のペットを地面に直接触れさせる。【００１５】  請求項１０では散歩用ペット小屋に付設したリードで、小屋を離れようとするペットを囲う手段をとる。そのためペットを曳くリードをゴムチューブで作り、これを自転車に取り付けたゴムポンプとペットの背に取り付けたノズルの間に渡す。ゴムポンプの動作により、ゴムチューブで伝える空気の伝播で、ノズル内に挿入した吹き流しをノズルより噴出し、逃げようとするペットを吹き流しで囲う。
【発明の効果】
【００１６】  この発明は、ペットと散歩するとき、次のような優れた効果を発揮する。
ａ）ペットが遠くに行かない。自分の小屋がいつも近くにあり、すぐ引き返してくる。
ｂ）他ペットや他人に飛びかかりそうになったら、小屋に閉じ込め、危害を加えさせない。
ｃ）他ペットから襲われそうになったら、小屋にすぐ入れて、ペットを守る。
ｄ）歩行を嫌がり立ち止まってしまったら、すぐ自転車に載せる。
ｅ）遠くまで散歩にいった復路は、ペットを自転車に乗せ帰る。
ｆ）公園など広い場所に行くとき、そこまではペットを自転車に載せて移動する。
ｇ）自転車なので、散歩の必須用具（リード、糞始末袋、餌等）を携帯できる。
【図面の簡単な説明】
【００１７】
【図１】請求項１を示す斜視図
【図２】請求項２を示す斜視図
【図３】請求項３を示す斜視図
【図４】請求項４を示す斜視図
【図５】請求項５を示す斜視図
【図６】請求項６を示す斜視図
【図７】請求項７を示す斜視図
【図８】請求項８を示す斜視図
【図９】請求項９を示す斜視図
【図１０】請求項１０を示す斜視図
【発明を実施するための形態】
【００１８】  本発明の請求項ごとの実施形態を、図面を見ながら説明する。請求項１を説明する。まず本発明の主体となる散歩用のペット小屋であるが、本発明で想定するペットは小型犬や猫である．従って小屋のサイズは段ボールミカン箱ほどの直方体でよい。こうしてつくる散歩用ペット小屋１２は、一側面を出入口１３として開口し、底面にキャスター１４を１個以上取り付ける。
【００１９】  できた散歩用ペット小屋１２は、自転車前輪５の前の地面に、前輪５に触れないよう置く。地面へ置く向きは、自転車の進行方向と同方向になるよう置く。自転車の進行方向はハンドル１の舵取りより決まるので、散歩用ペット小屋１２も自転車のハンドル１に同調して右に左に動く。従って散歩用ペット小屋１２の底面に置くキャスター１４は、方向を自在に変えられるフリーキャスターがよい。
【００２０】  次に、地面に置いた散歩用ペット小屋１２を自転車に連結する小屋リフト１１を説明する。散歩用ペット小屋１２は自転車と共に歩き、場合により走るので、この連結棒は硬質な材料で作る。この一端を散歩用ペット小屋１２に取り付け、他端を前輪ハブ６へ繋ぐ。この前輪ハブ６への繋ぎ方であるが、これを固く固定しないでフレキシブルに繋いで、歩道の多少の凹凸衝撃をここで吸収する。こうして自転車と散歩用ペット小屋１２は同調して歩き、そして走る。
【００２１】  請求項１における散歩用ペット小屋１２の使い方を説明する。ペットの散歩タイムになったら、飼い主はペットをリード１６に繋ぎ、リード１６を散歩用ペット小屋１２に繋ぎ、自転車で出発する。すると散歩用ペット小屋１２は底面にキャスター１４を取り付けているので、自転車に同調して進む。そしてペットも散歩用ペット小屋１２に同調して、散歩用ペット小屋１２を出たり入ったりして進む。こうして自転車を使ったペットの散歩ができる。
【００２２】  もちろんペットは外に出ると、周辺の匂いを嗅ぎ廻る、また用便で右に左に行くなどじっとしていない。そうした時は、飼い主はペットの動きに合わせて、ハンドル１を右に左に切ればよい。またリード１６の長さを調整してペットを制御することもできる。
【００２３】  一方、内弁慶で外に出ると固まって全く動こうとしないペットもいる。そうしたとき飼い主は、ペットを散歩用ペット小屋１２の中に入れペットの気持ちが収まるまで、あるいはペットの好きな場所まで自転車移動する。その場所にきたら、またペットを外に出せばよい。また往路は歩いたが復路は疲れて歩けないペットなども同様で、帰路は散歩用ペット小屋１２に入れて帰宅すればよい。
【００２４】  自転車運転に関する法律であるが、自転車で動くペットと伴走することは、道路交通法で禁止されている。今までに述べたペットを散歩用ペット小屋１２から出して散歩するのは、ペットが動き回るのでこの事例にあたり、自転車は引いて歩かなければならない。
【００２５】  続けると、道交法では自転車に連結するリヤカーは、積んでいる物が外に飛び出すことはないので、走行してよい。ゆえに先の例で、もしペットを散歩用ペット小屋１２から出さないで運ぶなら、動かないペットは物にあたり、散歩用ペット小屋１２を引く自転車は走ってもよい。
【００２６】  なお最後にキャスター１４であるが、場合により散歩用ペット小屋１２にキャスター１４を全く取り付けないことがある。例えば舗装されない凸凹な歩道を往くときであるが、歩道の凸凹がキャスター１４の走行阻害要素となって自転車が進まない。このときはキャスター１４を付けないで、散歩用ペット小屋１を地面より少し浮かしたままで小屋リフト１１を前輪ハブ６に繋ぐ。接合をフレキシブルではなく、きつく固定して繋ぐ。そうする散歩用ペット小屋１２は地面に浮いて、凸凹に阻害されず動く。
【００２７】  請求項２を説明する。請求項２では請求項１の散歩用ペット小屋１２が自転車前輪５の前の地面にあるとき、これを上段の前籠８へ、ペットを入れたまま移動設置する。
【００２８】  この目的のため、散歩用ペット小屋１２の左右両面に回転軸受１８を設け、且つ前輪ハブ６の左右両端にも回転軸受１８を設ける。回転軸受は駆体に固く設置されながら、他の回転する物を受け止め、その回転を許す装置である。散歩用ペット小屋１２においては、前輪ハブ６固く設置されながら、後述する小屋リフト１１を受け止めその回転を許す。
【００２９】  請求項２における小屋リフト１１を説明する。小屋リフト１１は地面に置いた散歩用ペット小屋１２を上段に上げ、また下段に下げるアームでもある。従って小屋リフト１１の長さは、前輪ハブ６から前籠８の底面の長さとする。この長さの小屋リフト１１左右をもって、散歩用ペット小屋１２の回転軸受左右と前輪ハブ６の回転軸受左右とを繋ぐ。
【００３０】  請求項２の使用を説明する。請求項１では、全く動こうとしないペットは、地面に置いた散歩用ペット小屋１２に入れて地上を歩行移動した。しかし請求項２ではこれを、地上から前籠８の位置まで上段に移動して、即ち前籠８に載せて空中移動する。飼い主はペットを前籠８に見ながら、ペットの気持ちが収まる場所まで走って移動できる。
【００３１】  請求項３を説明する。前述した請求項１や請求項２では散歩用ペット小屋１２を前輪５の前に置いたのに対し、請求項３はこれを自転車の後ろに置き、且つ荷台２２に上段移動する。つまり請求項３は、請求項２を自転車の後ろに置いたバージョンである。
【００３２】  そのため、散歩用ペット小屋１２の左右両面に回転軸受１８を設けると共に、後輪ハブ２４の左右外側にも回転軸受を設ける。
【００３３】  次に散歩用ペット小屋１２と前記後輪ハブ２４を繋ぐ犬小屋リフト１１の長さを、自転車の荷台２２に届く長さとする。この長さの小屋リフト１１左右をもって、散歩用ペット小屋１２の回転軸受１８左右と後輪ハブ２４の回転軸受１８左右を繋ぐ。
【００３４】  請求項３の使用を説明する。通常は地面を曳いて歩くが、歩こうとしないペットは散歩用ペット小屋１２に入れ、小屋リフト１１を上段の荷台２２位置に上げ、ペットを荷台２２に載せて移動すればよい。
【００３５】  請求項４を説明する。請求項４では散歩用ペット小屋１２を自転車前輪５の横に置く。請求項１から３の事例では散歩用ペット小屋１２は自転車の前輪５の前や後輪２５の後ろに置いたが、請求項４では自転車の前輪５横に置く。４つの例の中で自転車運転者に一番近く、ペットの動向を一番近くに見て散歩できる。
【００３６】  そのため散歩用ペット小屋１２の側面にパイプバンド２９を取り付けた後、散歩用ペット小屋１２を自転車前輪５の横の地面に置く。前記のパイプバンド２９は、パイプ状の物へグリップして固定する器具である。
【００３７】  次に、前輪５を楕円に周回して前輪ハブ６左右に固定する前輪周回リング３９に、前記パイプバンド２９を介して、散歩用ペット小屋１２を取り付けて完了である。追記すると、さらに前輪周回リング３９を自転車に強固に固定させるため、リングステイ４０をフォーク４に結ぶことがある。
【００３８】  請求項４の使用を説明する。自転車前輪５の横の地面に散歩用ペット小屋１２を置き、パイプバンド２９を前輪周回リング３９に取り付ける。自転車運転者の目の前にペットがきて、楽しい散歩ができる。ペットを２匹散歩させる人がいるが、請求項４の散歩用ペット小屋１２を２個使えば、２匹を前輪周回リング３９の左右につけ散歩できる。
【００３９】  請求項５を説明する。請求項５では、請求項４の散歩用ペット小屋１２を、自転車前輪の横に置き、且つ地面から前籠８の位置へと上段移動する。
【００４０】  そのため前輪ハブ６から枝だしするＪ形ジョイント２７とランプブラケット７を結び、小屋昇降パイプ２８を設置する。小屋昇降パイプ２８は筒状の心棒であって、物の昇降の柱となる。この小屋昇降パイプ２８に、パイプバンド２９で、前記請求項４の散歩用ペット小屋１２を取り付ける。
【００４１】  請求項５の使用を説明する。ペットと散歩していて、ペットが疲れたなどの時は、ペットを散歩用ペット小屋１２に入れ、そのまま前籠８の位置までリフトすればよい。なおこの事例ではリフトは飼い主が手動で散歩用ペット小屋１２をもって昇降するが、これを小屋昇降パイプ２８の上部に電動モーターを付けて、電動ワイヤーで吊ることもある。
【００４２】  請求項６を説明する。請求項６はペットでも特に猫４２を想定した散歩用ペット小屋１２である。ネコ科の動物は木など高所に隠れて餌を狙う。鋭い爪を使って木に駆け上ることが得意である。このため請求項６は猫４２を想定して、前籠８や荷台２２に置いた散歩用ペット小屋１２からスロープを地面に垂らす、あるいは地面から前籠８または荷台２２向けて立掛けると、猫４２がそこを降りまた昇る内容となっている。
【００４３】  そこで散歩用ペット小屋１２はその中に折り畳んで、伸びて一枚盤になる折り畳みスロープ３０を内蔵している。折り畳みスロープ３０は猫４２の体重がかかっても歪曲せず、且つ猫４２の爪が食い込む材質でなければならない。従ってべニヤ板を布で覆ったものなどがよい。折り畳みスロープ３０は長方形盤２〜３枚が蝶番３１で一連に連結されており、散歩用ペット小屋１２の中に収納されている。
【００４４】  以上により使い方として、散歩用ペット小屋１２を前籠８または荷台２２に置いたとき、前記折り畳みスロープ３０を散歩用ペット小屋１２より取出し地面に垂下すると、また地面から前籠８または荷台２２向けて立掛けると、猫４２の昇降用スロープとなる。散歩であまり地面を歩き回らない猫４２には、この昇降用スロープが絶好の屋外の場となる。
【００４５】  なおここではスロープを折り畳みスロープ３０としているが、これを伸縮梯子とすることがある。折り畳みスロープ３０はベニヤ材としているが、伸縮梯子スロープは金属材であるので太ったペットなどのとき、重量に耐えてよい。もちろん金属製の折り畳みスロープ３０は、猫の爪が掛かるように布などで覆われている。
【００４６】  請求項７を説明する。請求項７は、請求項６で散歩用ペット小屋１２に収納した折り畳みスロープ３０を、これを自転車の前籠８に収納しておくパターンである。
【００４７】  使い方としては、散歩用ペット小屋１２を地面に置き、折り畳みスロープ３０を自転車の前籠８より取出し地面に垂下すると、猫４２は地面の散歩用ペット小屋１２と前籠８の間を行き来して遊ぶ。
【００４８】  請求項８を説明する。請求項６と請求項７における猫４２の昇降を覆いのないスロープでしたのに対し、請求項８ではこれを閉鎖したトンネルで行なう。
【００４９】  そのため請求項８の散歩用ペット小屋１２はその中に折り畳んで、伸縮自在の蛇腹トンネル４１を内蔵している。
【００５０】  使い方を説明する。地上に置いた散歩用ペット小屋１２より前記蛇腹トンネル４１を取出し、上段の前籠８や荷台２２に留め掛けると、猫４２は地面に置いた散歩用ペット小屋１２と上段の前籠１２の間を、蛇腹トンネル４１を通って昇り降りする。前籠８に蓋を被せれば前籠１２から散歩用ペット小屋１２までの全体を封鎖でき、リード１６で繋がなくても猫４２が逃げることはない。
【００５１】  請求項９を説明する。請求項９は、散歩用ペット小屋１２の中にペットを入れながら、ペット地面に接地させる。その効用は、あまり歩きたくないペットを、散歩用ペット小屋１２の中に入れて歩き、散歩用ペット小屋１２の中でも散歩運動させられることである。
【００５２】  このため、請求項１から請求項５の散歩用ペット小屋１２の底板３８は着脱を可能としている。通常使用の時は底板３８を着装するが、請求項９の目的の散歩用ペット小屋１２内散歩の時はこれを外す。すなわち利用法として、請求項１から請求項５の散歩用ペット小屋１２を地面に置いたとき、散歩用ペット小屋１２の底板３８を外して、散歩用ペット小屋１２の中のペットを地面に接地させる。
【００５３】  請求項１０を説明する。請求項１０は、活発過ぎてペット小屋１２から離れすぎるペットを、再度ペット小屋１２に呼び戻す。
【００５４】  そのため請求項１から請求項５の散歩用ペット小屋に付設するリード１６の芯に、ゴムチューブ３４を埋め込む。チューブ３４の一方の端をゴムポンプ３３に結び、他方の端をペットの背に付けたノズル３５に結ぶ。ノズルの３５の中には、風圧によりノズル３５から飛び出す吹き流し３６をセットする。
【００５５】  吹き流し３６はペットを捕えるのに網ほど効果はないが、ペットを線で捕えて、ペットの自由を制限する。また吹き流し３６は軽い樹脂系で作られるので、ペットに背負わせても重さで負担をかけない。
【００５６】  使い方としては、ゴムポンプ３３を押すと、ノズル３５に仕込んだ吹き流し３６でペットを囲って、遠くに行かないよう動きを制御する。ゴムポンプ３３を押すことを止めるとゴムポンプ３３は現状に復帰しようとし、吹き流し３６をノズル３５に吸い込み元に戻す。
【産業上の利用可能性】
【００５７】  この発明は、ペットと自転車を結びつける。高齢者や若者を問わず一人暮らしが増え、それを癒すためペットの家屋内飼育がブームとなっている。そのため家庭内で一日を暮らすペットは、必然的に運動不足になり、精神的にストレスを負う。一方自転車は新車価格が１万円前後となる自転車バブルで、新車から数年後に破棄されることが多い。この発明は、家庭内で余っている自転車をペットの散歩向けに利用し、よってペットの健康増進と自転車の有効利用を図る。
【符号の説明】
【００５８】  １  ハンドル                        ２  ヘッドチューブ
３  ダウンチューブ                  ４  フォーク
５  前輪                            ６  前輪ハブ
７  ランプブラケット                ８  前籠
９  前籠前面                      １０  前籠ステイ
１１  小屋リフト                    １２  散歩用ペット小屋
１３  出入口                        １４  キャスター
１５  網                            １６  リード
１７  犬                            １８  回転軸受
１９  シートチューブ                ２０  サドル
２１  シートステイ                  ２２  荷台
２３  チェーンステイ                ２４  後輪ハブ
２５  後輪                          ２６  荷台ステイ
２７  Ｊ形ジョイント                ２８  小屋昇降パイプ
２９  パイプバンド                  ３０  折り畳みスロープ
３１  蝶番                          ３２  ポンプ台
３３  ゴムポンプ                    ３４  ゴムチューブ
３５  ノズル                        ３６  吹き流し
３７  腹帯                          ３８  底板
３９  前輪周回リング                ４０  リングステイ
４１  蛇腹トンネル                  ４２  猫
【図１】
2017079710.tif 000003
【図２】
2017079710.tif 000004
【図３】
2017079710.tif 000005
【図４】
2017079710.tif 000006
【図５】
2017079710.tif 000007
【図６】
2017079710.tif 000008
【図７】
2017079710.tif 000009
【図８】
2017079710.tif 000010
【図９】
2017079710.tif 000011
【図１０】
2017079710.tif 000012